(57)【特許請求の範囲】
【請求項１】
一側に開口する凹部と、前記凹部の周囲に形成され、使用者の目元を前記凹部で覆った状態で当該使用者の肌に当接する当接面と、を有する本体部と、
前記凹部の奥側に配置され、液体を保持可能な液体保持部材と、
前記液体保持部材を加熱する加熱部と、
前記凹部内に配置される送風部と、
前記凹部を液体保持部材側空間と開口側空間とに区画する隔壁と、
を備え、
前記隔壁には、前記開口側空間と前記液体保持部材側空間とを連通する連通孔が複数形成されていることを特徴とする目元用美容装置。
【請求項２】
前記連通孔は、前記開口側空間内の流体を前記液体保持部材側空間内に導入可能な導入口と、前記液体保持部材側空間内から前記開口側空間内へと流体を導出可能な導出口と、を備えていることを特徴とする請求項１に記載の目元用美容装置。
【請求項３】
前記本体部の当接面を前記肌に当接させた前記使用者が前方を向いた状態で、前記導入口が前記隔壁の左右方向の中央部に形成されており、
前記導出口が前記隔壁の左右方向の両端における下部にそれぞれ形成されていることを特徴とする請求項２に記載の目元用美容装置。
【請求項４】
前記送風部が前記液体保持部材側空間内に配置されていることを特徴とする請求項１〜３のうちいずれか１項に記載の目元用美容装置。
【請求項５】
前記液体保持部材側空間が、前記開口側空間よりも狭小になっていることを特徴とする請求項１〜４のうちいずれか１項に記載の目元用美容装置。
【請求項６】
前記隔壁と前記液体保持部材とが一体に形成されていることを特徴とする請求項１〜５のうちいずれか１項に記載の目元用美容装置。
【発明の詳細な説明】
【技術分野】
【０００１】
本発明は、目元に美容効果を与える目元用美容装置に関する。
【背景技術】
【０００２】
従来、目元用美容装置として、一側に開口する凹部と、凹部の周囲に形成され、使用者の目元を凹部で覆った状態で当該使用者の肌に当接する当接面と、を有する本体部を備えるものが知られている（例えば、特許文献１参照）。
【０００３】
この特許文献１では、凹部の奥側に給水プレートが配置されており、給水プレートに液体を保持させた状態で当該給水プレートをヒーターによって加熱することで、水蒸気などの霧状液体である温ミストが生成されるようにしている。
【０００４】
そして、生成された温ミストを凹部内に放出させて、使用者の目元に温ミストを供給することで、使用者の目元の肌に潤いが与えられるようにしている。
【先行技術文献】
【特許文献】
【０００５】
【特許文献１】特開２０１４−２１７７７７号公報
【発明の概要】
【発明が解決しようとする課題】
【０００６】
上記従来の技術によっても、目元に与える美容効果を高めることが可能であるが、美容効果をより高められるようにするのが好ましい。
【０００７】
本発明は、上記課題を解決するためになされたものであって、その目的は、目元に与える美容効果をより高めることが可能な目元用美容装置を提供することにある。
【課題を解決するための手段】
【０００８】
上記目的を達成するために、本発明の目元用美容装置は、一側に開口する凹部と、前記凹部の周囲に形成され、使用者の目元を前記凹部で覆った状態で当該使用者の肌に当接する当接面と、を有する本体部を備えている。
【０００９】
また、目元用美容装置は、前記凹部の奥側に配置され、液体を保持可能な液体保持部材と、前記液体保持部材を加熱する加熱部と、を備えている。
【００１０】
さらに、目元用美容装置は、前記凹部内に配置される送風部と、前記凹部を液体保持部材側空間と開口側空間とに区画する隔壁と、を備えている。そして、前記隔壁には、前記開口側空間と前記液体保持部材側空間とを連通する連通孔が複数形成されている。
【発明の効果】
【００１１】
本発明によれば、目元に与える美容効果をより高めることが可能な目元用美容装置を提供することができる。
【図面の簡単な説明】
【００１２】
【図１】本発明の実施の形態にかかる目元用美容装置の使用状態を模式的に示す斜視図である。
【図２】本発明の実施の形態にかかる目元用美容装置の平面図である。
【図３】本発明の実施の形態にかかる目元用美容装置の正面図である。
【図４】本発明の実施の形態にかかる目元用美容装置の背面図である。
【図５】本発明の実施の形態にかかる目元用美容装置を分解して示す斜視図である。
【図６】本発明の実施の形態にかかる目元用美容装置の使用者の目に対応する部分における断面図である。
【図７】本発明の実施の形態にかかる目元用美容装置の内部を示す背面図である。
【図８】図２のＡ−Ａ断面図である。
【図９】図２のＢ−Ｂ断面図である。
【図１０】本発明の実施の形態にかかる目元用美容装置を背面側から視た斜視図である。
【図１１】本発明の実施の形態にかかる目元用美容装置を示す図であって、パッドおよびユニット部材を取り外した状態を背面側から視た斜視図である。
【図１２】本発明の実施の形態にかかる目元用美容装置を底面側から視た斜視図である。
【図１３】本発明の実施の形態にかかるユニット部材を凹部内に装着させた状態を拡大して示す斜視図である。
【図１４】本発明の実施の形態にかかるヒーター、伝熱板およびヒーターカバーを背面側から視た斜視図である。
【図１５】本発明の実施の形態にかかるベース部、ヒーター、伝熱板、ヒーターカバーおよび送風機構を正面側から視た斜視図である。
【図１６】本発明の実施の形態にかかるユニット部材の斜視図である。
【図１７】本発明の実施の形態にかかるユニット部材の断面図である。
【図１８】本発明の実施の形態にかかる目元用美容装置の動作モードを説明する図であって、（ａ）はリフレッシュモードの一例を説明する図、（ｂ）はリラックスモードの一例を説明する図である。
【発明を実施するための形態】
【００１３】
本発明の実施の形態にかかる目元用美容装置は、一側に開口する凹部と、前記凹部の周囲に形成され、使用者の目元を前記凹部で覆った状態で当該使用者の肌に当接する当接面と、を有する本体部を備えている。
【００１４】
また、目元用美容装置は、前記凹部の奥側に配置され、液体を保持可能な液体保持部材と、前記液体保持部材を加熱する加熱部と、を備えている。
【００１５】
さらに、目元用美容装置は、前記凹部内に配置される送風部を備えている。
【００１６】
こうすれば、液体保持部材によって凹部内に供給される温ミストを使用者の目元により効率よく供給することが可能となる。その結果、目元に与える美容効果をより高めることが可能となる。
【００１７】
また、目元用美容装置は、前記凹部を液体保持部材側空間と開口側空間とに区画する隔壁を備えている。そして、前記隔壁には、前記開口側空間と前記液体保持部材側空間とを連通する連通孔が複数形成されている。
【００１８】
こうすれば、液体保持部材で生成された温ミストを素早く所定の温度に到達させることができる上、液体保持部材側空間内に温ミストを素早く充満させることができるようになる。そして、液体保持部材側空間内に充満した所定の温度の温ミストを挿通孔から目元側に向けて放出させることで、使用者の目元に温熱マッサージ感を与えることができる。その結果、目元に与える美容効果をより高めることが可能となる。
【００１９】
また、前記連通孔は、前記開口側空間内の流体を前記液体保持部材側空間内に導入可能な導入口と、前記液体保持部材側空間内から前記開口側空間内へと流体を導出可能な導出口と、を備えている。
【００２０】
こうすれば、凹部内の流体（空気や温ミスト）の流れをより一定の流れに近づけることができ、温ミストを使用者の目元により効率よく供給することが可能となる。
【００２１】
また、前記本体部の当接面を前記肌に当接させた前記使用者が前方を向いた状態で、前記導入口が前記隔壁の左右方向の中央部に形成されている。そして、前記導出口が前記隔壁の左右方向の両端における下部にそれぞれ形成されている。
【００２２】
こうすれば、温ミストを目尻から目頭に向かって循環させることが可能となって、より効率よく温ミストを使用者の目元に供給することができる。また、温ミストを凹部内により均一に行き渡らせることが可能となる。
【００２３】
また、前記送風部が前記液体保持部材側空間内に配置されている。
【００２４】
こうすれば、液体保持部材側空間内に充満した温ミストを対流させながら開口側空間内に放出させることができ、温ミストを使用者の目元により効率よく供給することが可能となる。
【００２５】
また、前記液体保持部材側空間が、前記開口側空間よりも狭小になっている。
【００２６】
こうすれば、液体保持部材で生成された温ミストをより素早く液体保持部材側空間内に充満させることができる上、温ミストをより素早く所望の温度まで上昇させることができるようになる。
【００２７】
また、前記隔壁と前記液体保持部材とが一体に形成されている。
【００２８】
こうすれば、隔壁および液体保持部材を本体部により容易に装着させることが可能となる。
【００２９】
以下、本発明の実施の形態について、図面を参照しながら説明する。なお、この実施の形態によって本発明が限定されるものではない。
【００３０】
また、以下では、目元用美容装置を装着した状態で前方を向いた使用者（図１に示す状態の使用者）の「前後方向」「左右方向」「上下方向」を、目元用美容装置の「前後方向」、「左右方向」、「上下方向」と規定して説明する。
【００３１】
（実施の形態）
本実施の形態にかかる目元用美容装置１０は、図１〜図６に示すように、本体部２０を備えており、この本体部２０には、後方（使用者１の目元２側：一側）に開口する凹部２３が形成されている。具体的には、本体部２０の奥壁２１および周壁２２で画成された空間が凹部２３となっており、この凹部２３の後端が開口部２３ａとなっている。
【００３２】
そして、本体部２０における凹部２３の開口部２３ａの周囲には、凹部２３によって使用者１の目元２および目３が覆われるようにした状態で当該使用者１の肌（目元２の周囲の肌）４に当接する当接面２４が形成されている。
【００３３】
このように、本実施の形態にかかる目元用美容装置１０は、使用者１の目元２および目３を凹部２３で覆いつつ当接面２４を肌（目元２の周囲の肌）４に当接させた状態で、使用者１に装着されるようになっている。
【００３４】
本実施の形態では、本体部２０の左右両側に装着バンド３０の端部３０ａが着脱自在に取り付けられるようになっている。そして、図１に示すように、本体部２０に取り付けられた装着バンド３０を使用者１の後頭部５に掛けることで、目元用美容装置１０が使用者１に装着されるようになっている。このように、目元用美容装置１０の当接面２４を肌（目元２の周囲の肌）４に当接させた状態で装着バンド３０を後頭部５に掛けるようにすれば、使用者１が立っている状態等であっても、目元用美容装置１０を、目元２から落ちないように装着させることができるようになる。したがって、装着バンド３０は、当接面２４を使用者１の肌（目元２の周囲の肌）４に当接させた状態で、目元用美容装置１０を固定するための固定部材としての機能を有している。
【００３５】
なお、仰向けになった状態における使用者１の肌（目元２の周囲の肌）４に本体部２０の当接面２４を上方から当接させるようにすれば、装着バンド３０を用いずに目元用美容装置１０を使用者１に装着させることができる。
【００３６】
本体部２０は、剛性材料で形成されて外郭を構成する本体ハウジング２１０と、本体ハウジング２１０の後方に取り付けられるパッド２２０と、を備えている。このパッド２２０は、弾性材料で形成されており、目元用美容装置１０を使用者１に装着した際には、パッド２２０が使用者１の目元２の周縁部に当接するようになっている。
【００３７】
一方、本体ハウジング２１０は、複数の分割体を継ぎ合わせることで形成されており、複数の分割体を継ぎ合わせて形成した本体ハウジング２１０の内部には空洞Ｃが形成されている。これら複数の分割体は、例えば、ねじを用いたり、分割体同士を嵌合させたりすることで継ぎ合わせることができる。そして、本体ハウジング２１０に形成された空洞Ｃ内には、各種電気部品が収容されている。
【００３８】
本実施の形態では、本体ハウジング２１０は、左右方向から視た際に、前方に凸となるように湾曲したカバー２３０と、カバー２３０に後側から継ぎ合わされて、パッド２２０が取り付けられるベース部２４０と、を備えている。そして、カバー２３０とベース部２４０との間に形成される空洞Ｃ内には、後述する電池８７や制御基板８５等が収容されている。
【００３９】
ベース部２４０は、奥壁２４１と、奥壁２４１の周囲に後方に延在するように連設された内周壁２４２と、内周壁２４２の後端に連設され、内周壁２４２の外方に延設された後壁２４３と、後壁２４３の外周側から前方に延在するように形成された外周壁２４４と、を備えている。
【００４０】
そして、ベース部２４０における使用者１の目元２側（後方）には、奥壁２４１および内周壁２４２で画成されたベース部側凹部２４０ａが形成されており、このベース部側凹部２４０ａが凹部２３の一部を構成している。
【００４１】
本実施の形態では、ベース部側凹部２４０ａは、図４および図６に示すように、左右両側に形成され、目元用美容装置１０の装着状態で使用者１の目３の部分にそれぞれ対向する上下方向に広がった一対の幅広部２４０ｂと、中央部分に形成され、上下方向に狭まった幅狭部２４０ｃと、を有しており、略左右対称となるように形成されている。幅狭部２４０ｃは、上側の境界の高さ位置が幅広部２４０ｂの上側の境界の高さ位置と略同一となるように形成されている。すなわち、ベース部側凹部２４０ａは、上側の境界が略水平に延在する直線状に形成されている。一方、幅狭部２４０ｃは、下側の境界の高さ位置が、幅広部２４０ｂの下側の境界の高さ位置よりも上方に位置するように形成されている。こうすることで、目元用美容装置１０の装着状態で、使用者１の鼻先がベース部側凹部２４０ａ内に存在しないようにしている。
【００４２】
また、本実施の形態では、ベース部側凹部２４０ａの前方を画成する奥壁２４１の後面２４１ａが、中央部に形成された奥側面２４１ｂと、奥側面２４１ｂの左右両端に連設され、外方かつ後方に延在する一対の段差面２４１ｃと、各段差面２４１ｃの外側端に連設され、外方に延在する一対の後側面２４１ｄと、で形成されている。
【００４３】
したがって、ベース部側凹部２４０ａは、左右方向の中央部の深さが深く（前後方向の距離が長く）、左右方向の両端の深さが浅く（前後方向の距離が短く）なる段差状に形成されることとなる。
【００４４】
そして、ベース部側凹部２４０ａにおける左右方向の中央部の前方に突出する部分が、後述するユニット部材４０が収容される収容空間２４０ｄとなっている。
【００４５】
さらに、左右一対の後側面２４１ｄにおける段差面２４１ｃとの境界部分の近傍の上部には、後方に突出するフック部２４１ｅがそれぞれ形成されている。
【００４６】
また、ベース部２４０の後壁２４３の上方および左右両側には、複数の取付孔２４３ａが形成されている。
【００４７】
一方、ベース部２４０に取り付けられるパッド２２０の後側には、使用者１の肌（目元２の周囲の肌）４に当接する当接面２２２が形成されており、前側にはベース部２４０に取り付けられる取付面２２３が形成されている。
【００４８】
そして、パッド２２０の取付面２２３には、取付孔２４３ａより一回り大きな外周形状で形成された突起２２３ａが複数個設けられており、この突起２２３ａを取付孔２４３ａに弾性的に嵌合させることで、パッド２２０がベース部２４０に装着されるようになっている。なお、突起２２３ａを取付孔２４３ａから外せば、パッド２２０をベース部２４０から取り外せるようになっている。
【００４９】
また、本実施の形態では、ベース部２４０の後壁２４３の下部は、上方から視た際に、左右方向の外側から中央側にかけて後方に凸となるように湾曲している。さらに、後壁２４３の下部は、左右方向の中央側が両側よりも前方に位置するようになっている。なお、後壁２４３は、左右方向の中央側が使用者１の鼻６に対応した形状となるように形成されている。
【００５０】
そして、後壁２４３の下部における中央部の奥まった部分には、一対の取付孔２４３ｂが形成されている。
【００５１】
また、パッド２２０は、目元用美容装置１０を装着した状態で鼻６に当接する鼻パッド２２１を備えており、この鼻パッド２２１は、ベース部側凹部２４０ａの中央部の幅狭部分の下方に配置されている。
【００５２】
本実施の形態では、鼻パッド２２１には、取付孔２４３ｂより一回り大きな外周形状で形成された一対の突起２２１ａが形成されており、この一対の突起２２１ａを一対の取付孔２４３ｂにそれぞれ弾性的に嵌合させることで、鼻パッド２２１がベース部２４０に取り付けられている。なお、突起２２１ａを取付孔２４３ｂから外せば、鼻パッド２２１をベース部２４０から取り外せるようになっている。
【００５３】
このように、本実施の形態では、パッド２２０が、ベース部側凹部２４０ａの上方および左右両側を覆うようにベース部２４０に着脱自在に取り付けられており、鼻パッド２２１が、ベース部側凹部２４０ａの中央部の幅狭部分の下方に配置されるようにベース部２４０に着脱自在に取り付けられている。
【００５４】
こうすれば、パッド２２０および鼻パッド２２１をベース部２４０から取り外して容易に洗浄することができるようになる。
【００５５】
そして、図１に示すように、目元用美容装置１０を装着した状態では、使用者１の目元２の上方および左右両側がパッド２２０で覆われるとともに、使用者１の鼻６が鼻パッド２２１で覆われるようになっている。
【００５６】
このようなパッド２２０（鼻パッド２２１を含む）をベース部２４０に取り付けると、ベース部側凹部２４０ａの後方にパッド側凹部２２０ａが形成される。したがって、本実施の形態では、凹部２３は、ベース部側凹部２４０ａとパッド側凹部２２０ａとで形成されることとなる。
【００５７】
また、パッド２２０（鼻パッド２２１を含む）をベース部２４０に取り付けた目元用美容装置１０を後方から視ると、凹部２３の下側のパッド２２０と鼻パッド２２１との間の後壁２４３が露出することになる。本実施の形態では、この後壁２４３の露出部分が、目元用美容装置１０を装着した状態で使用者１の肌（目元２の周囲の肌）４に当接する肌当接面２４３ｄとなっている。
【００５８】
このように、本実施の形態では、当接面２４は、パッド２２０の当接面２２２と、ベース部２４０（後壁２４３）の肌当接面２４３ｄと、を有している。
【００５９】
そして、使用者１の目３の周囲にパッド２２０の上部および左右両側の周縁部である当接面２２２を当接させるとともに、後壁２４３の露出部分である肌当接面２４３ｄを当接させることで、鼻梁と対応する箇所（目より下方）でのみ隙間を介して外部に繋がるほぼ閉空間の空間Ｓ（図６参照）が形成されるようになっている。
【００６０】
このように、目３の下方の肌面に硬質材のベース部２４０に設けた肌当接面２４３ｄを当接させ、目３の側方および上方をベース部２４０に取着した軟質材のパッド２２０で覆うことで、目３に対向する位置に空間Ｓが形成されるようにしている。こうすることで、後述するミスト発生装置としての給水プレート５０から空間Ｓ内に供給される温ミストが空間Ｓから漏れてしまうのが抑制され、目元２の肌４に対する加湿効果および温熱効果を向上させることができる。
【００６１】
なお、パッド２２０の当接面２２２は、図４に示すように、当接面２２２を上方から見た平面形状が、多数の男女の額周囲の形状の平均的な形状を、女性に対応するように相似的に縮小した形状となるようにしている。また、パッド２２０や鼻パッド２２１の材料としては、顔へのフィット感、着脱の容易さ、汚れた場合にクリーニングのし易さおよび耐久性を考慮して、シリコンゴムが使用されている。このように、軟質で弾性を備えたシリコンゴムでパッド２２０や鼻パッド２２１を形成することで、パッド２２０や鼻パッド２２１を顔面に密着させ易くなる。
【００６２】
そして、当接面２２２の厚さは概ね１ｍｍ以下となるようにしており、図８に示すように、当接面２２２の内側に形成されるベース部２４０への取付面２２３よりも薄くなるようにしている。このように、パッド２２０の当接面２２２部分の肉厚を薄くすることで、パッド２２０を顔面に密着させ易くなる。
【００６３】
また、ベース部２４０の後壁２４３の左右両端部には、図１１に示すように、フック部２４３ｃがそれぞれ形成されており、このフック部２４３ｃには、必要に応じてゴムバンド等の装着バンド３０の端部３０ａが取り付けられるようになっている。
【００６４】
そして、カバー２３０の左右両側部には、ベース部２４０のフック部２４３ｃを覆うように延設された延設部２３１が形成されており、目元用美容装置１０の使用時に、フック部２４３ｃが露出しないようになっている。なお、図２〜図６では装着バンド３０の図示を省略している。
【００６５】
さらに、本実施の形態では、パッド２２０を取り付けた状態で、フック部２４３ｃがパッド２２０の外側に設けられるようにしている。こうすることで、フック部２４３ｃに取り付けた装着バンド３０によってパッド２２０の両側を顔面に押しつけることができ、パッド２２０を顔面により密着させることができるようになる。
【００６６】
また、カバー２３０の上面は、図２に示すように、有色透明な合成樹脂で形成されており、その平面形状はほぼ三日月状をしている。そして、カバー２３０の上面には、左右一対のスイッチ８４が形成されており、操作部および表示部がこのカバー２３０の上面に形成されている。
【００６７】
スイッチ８４は、上端がカバー２３０の上面から突出しないように形成されており、目元用美容装置１０を上下方向にひっくり返した状態で机上に置いた場合であっても、スイッチ８４が誤操作されないようになっている。
【００６８】
また、空洞Ｃ内におけるカバー２３０の上面の下方位置には、図５に示すように、ベース部２４０に保持される制御基板８５が配設されており、この制御基板８５には、制御回路および目元用美容装置１０の動作状態により点灯するＬＥＤが搭載されている。なお、ＬＥＤの点灯状態は、カバー２３０の上面に透過する光で認識されるようになっている。
【００６９】
また、ベース部２４０のベース部側凹部２４０ａの前側には、シート状のヒーター８０が設けられており、このヒーター８０は、当該ヒーター８０とベース部側凹部２４０ａとの間に位置するベース部２４０の加熱面２４５に当接している。本実施の形態では、奥壁２４１の前面が加熱面２４５となっており、ヒーター８０で生じた熱が加熱面２４５を介して後述する給水プレート（液体保持部材）５０に加えられるようにしている。すなわち、ヒーター８０は、給水プレート（液体保持部材）５０を加熱する加熱部としての機能を有している。
【００７０】
また、ヒーター８０の前面には、アルミ板で形成された伝熱板８１が当接している。この伝熱板８１は、ヒーター８０で発生する熱を図８および図９に示すベース部２４０の肌当接面２４３ｄに伝達するようになっている。本実施の形態では、この肌当接面２４３ｄは、上述したように、本体部２０の当接面２４に相当するものであり、ベース部２４０のベース部側凹部２４０ａの下方に、ほぼ左右対称となるように形成されている。
【００７１】
また、伝熱板８１には、図１５に示すように、ヒーター８０の温度を間接的に検出する温度センサー８２が設けられており、この温度センサー８２の検出信号が制御回路に出力されるようになっている。そして、制御回路は、ヒーター８０の温度があらかじめ設定された温度を超えないように、ヒーター８０に供給する電流を制御するようになっている。
【００７２】
また、制御基板８５には、図５に示すように、電池ケース８６が設けられており、この電池ケース８６に充電可能な電池８７が保持されている。そして、制御回路およびヒーター８０が電池８７を電源として動作するようにしている。
【００７３】
このように、本実施の形態にかかる目元用美容装置１０には、目元２に熱を付与する熱付与装置が設けられている。以下では、目元２に熱を付与する熱付与装置について具体的に説明する。
【００７４】
まず、ヒーター８０の前面には、上述したように、伝熱板８１がヒーター８０と密着するように配設されている。また、図５および図１４に示すように、伝熱板８１の前方にはベース部２４０に取り付けられるヒーターカバー８３が配設されており、このヒーターカバー８３には、ヒーターカバー８３から伝熱板８１に向かって突出する多数の突起８３ａが形成されている。そして、突起８３ａによって伝熱板８１をヒーター８０に向かって押圧することで、伝熱板８１がヒーター８０に密着されるようにしている。
【００７５】
この突起８３ａは、先端が半球状に丸められている。このように、突起８３ａの先端を半球状に丸めることで、伝熱板８１を充分に押圧するための強度を確保しつつ、伝熱板８１との接触面積を小さくしてヒーターカバー８３への熱伝導が小さくなるようにしている。
【００７６】
伝熱板８１は、ヒーター８０と密着する部分の下方が、ベース部２４０の下側の内周壁２４２に沿って略水平に延在するように折り曲げられた形状をしている。この水平部分は、内周壁２４２に当接することなく後壁２４３の肌当接面２４３ｄの近傍まで延設されている。さらに、水平部分の先端（後端）には、後壁２４３の肌当接面２４３ｄに沿って下方へ延びる５枚の分割平板８１ａ、８１ｂが延設されている。
【００７７】
ベース部２４０の後壁２４３に形成された肌当接面２４３ｄは、図１０に示すように、後方すなわち顔面側に向かって凸となる曲面状に形成されており、後壁２４３の肌当接面２４３ｄとは反対側の面（裏面）の形状が、肌当接面２４３ｄの曲面に対応する凹曲面となっている。このため、本実施の形態では、図１４に示すように、伝熱板８１における後壁２４３の裏側の凹曲面に当接する部分を、５枚の分割平板８１ａ、８１ｂに分割している。そして、５枚の分割平板８１ａ、８１ｂが肌当接面２４３ｄの凸曲面に対応した形状の凸曲面の一部をなすようにすることで、５枚の分割平板８１ａ、８１ｂが凹曲面に沿うようにし、伝熱板８１の後壁２４３の裏面の凹曲面への密着性が高められるようにしている。
【００７８】
また、本実施の形態では、分割平板８１ａ、８１ｂは、中央に位置するものから側方に向かって順次長さが短くなるように形成されている。なお、分割平板８１ａ、８１ｂの枚数は、５枚に限定されるものではなく、例えば、３〜１０枚程度とすることが可能である。
【００７９】
また、伝熱板８１の分割平板８１ａ、８１ｂには、ベース部２４０の肌当接面２４３ｄの裏面との密着性を確保するために、熱伝導性に優れたグリスが塗布されている。
【００８０】
さらに、ヒーターカバー８３には、図１４に示すように、分割平板８１ａ、８１ｂを肌当接面２４３ｄの裏面に向かって押圧する突起８３ｂが形成されている。そして、各分割平板８１ａ、８１ｂが突起８３ｂに押圧されることで、各分割平板８１ａ、８１ｂを肌当接面２４３ｄの裏面に密着させるようにしている。
【００８１】
この突起８３ｂの形状は、伝熱板８１をヒーター８０に向かって押圧する突起８３ａと同様の構成とすることができる。
【００８２】
このように、突起８３ａ，８３ｂの先端を半球状とすれば、突起８３ａ，８３ｂの先端と伝熱板８１との接触面積を小さくして、伝熱板８１からヒーターカバー８３への熱伝導を抑制しつつ、伝熱板８１をヒーター８０および肌当接面２４３ｄの裏面に押圧するための十分な押圧力を発生させることができるようになる。
【００８３】
また、ヒーターカバー８３から突設される突起８３ａによって伝熱板８１がヒーター８０に押圧されるため、ヒーター８０で発生する熱を伝熱板８１に効率よく伝達することができるようになる。
【００８４】
また、ヒーターカバー８３から突設される突起８３ｂによって伝熱板８１の分割平板８１ａ、８１ｂが肌当接面２４３ｄの裏面に押圧されるため、伝熱板８１から肌当接面２４３ｄに熱を効率よく伝達することができるようになる。
【００８５】
そして、分割平板８１ａ、８１ｂのうち、ベース部２４０の左右方向中央部側に位置する分割平板８１ｂの基端部近傍には、当該分割平板８１ｂの折曲げ縁に沿うように長孔８１ｄが形成されている。この長孔８１ｄは、ヒーター８０から各分割平板８１ａ、８１ｂまでの熱伝導距離を概ね揃えるために形成されるものである。
【００８６】
また、本実施の形態では、分割平板８１ａの温度は、その他の分割平板８１ｂの温度と同等若しくはそれ以上となるように設定されている。
【００８７】
温度センサー８２は、中央に位置する分割平板８１ａの後面（肌４側）における上下方向中央部に取り付けられている。
【００８８】
肌当接面２４３ｄは上下方向中央部より下方位置で、眼窩より下の頬部に当接するものであり、この頬部に対応する位置に温度センサー８２が配設されるようにするのが好ましい。
【００８９】
また、本実施の形態では、肌当接面２４３ｄを曲面状に形成しているため、肌当接面２４３ｄから肌面に対して作用する押圧力は、分割平板８１ａに対応する位置において最も高くなる。そのため、分割平板８１ａに温度センサー８２を設けるようにすれば、伝熱板８１の温度を温度センサー８２に伝え易くすることができる。
【００９０】
さらに、分割平板８１ａが分割平板８１ｂと同等若しくは高い温度となるように設定しているため、分割平板８１ａの熱が肌当接面２４３ｄを介して肌面に最も伝わり易くなっている。
【００９１】
このような理由により、本実施の形態では、図１５に示すように、分割平板８１ａに温度センサー８２を取り付けている。
【００９２】
さらに、本実施の形態では、図４に示すように、眼窩の平均的な大きさを基に、ベース部２４０のベース部側凹部２４０ａの上下方向の位置および幅と、肌当接面２４３ｄの上下方向の位置および幅が設計されているので、肌当接面２４３ｄの上部稜線部は殆ど肌面に接触しない部分となっている。仮に、肌面に接触した場合においても、押圧力があまり作用しない部位であるため、熱伝導が少ない部分となっている。
【００９３】
また、伝熱板８１は、分割平板８１ａ、８１ｂ以外の箇所では、ベース部２４０と接触していないので、ヒーター８０に接する部分の近傍の熱がベース部２４０を介して肌面に伝達されてしまうのを抑制することができる。したがって、過剰な熱が肌面に伝達され手しまうのが抑制されて、安全性をより高めることができる。
【００９４】
なお、本実施の形態では、温度センサー８２は、図１５に示すように、分割平板８１ａに設けられた凸部８１ｅで上下方向に位置決めした状態で、爪８１ｃを折曲げることで固定されている。この凸部８１ｅおよび爪８１ｃは、分割平板８１ａに一体に形成されているので、分割平板８１ａ以外の部品を使用して温度センサー８２を固定する場合に比して、熱伝導損失を低く抑えることが可能となる。
【００９５】
なお、分割平板８１ａに温度センサー８２を固定する手段は、上記の他、ヒーターカバー８３から突出される突起で温度センサー８２を押圧して固定すること、ヒーターカバー８３と温度センサー８２との間にゴムやスポンジ等の弾性体を挟み込んで固定すること等が考えられる。しかしながら、これらの方法では、熱伝導損失が増大してしまうため、必要に応じて対策を講じる必要がある。
【００９６】
また、伝熱板８１は、ヒーター８０の熱を肌当接面２４３ｄを介して肌面に迅速に伝達するために設けられるものであるため、伝熱板８１の板厚は、ヒーター８０の出力性能に応じて適切な厚さが選択されるようにするのが好ましい。本実施の形態では、伝熱板８１の板厚を０．３ｍｍとしている。
【００９７】
なお、伝熱板８１の板厚は、ヒーター８０への供給電力によって０．２ｍｍ〜２．０ｍｍ程度の範囲で検討することが望ましい。
【００９８】
伝熱板８１の厚さを０．２ｍｍよりも薄くすると、伝熱板８１の熱容量が小さくなって温度を保持し難くなってしまうからである。
【００９９】
一方、伝熱板８１の厚さを２．０ｍｍよりも厚くすると、伝熱板８１の熱容量が増大して、熱が分割平板８１ａ、８１ｂまで伝達され難くなるとともに、分割平板８１ａの温度が上限を超えたときに、ヒーター８０の通電を停止したとしても、温度のオーバーシュートが大きいため温度が迅速に下がらず、肌面に心地よい温度を安定して供給できなくなってしまうからである。
【０１００】
以上より、伝熱板８１の板厚は、上記の範囲で最適な厚さを選択するようにするのが好ましい。
【０１０１】
さらに、本実施の形態では、図５および図９に示すように、ベース部２４０の肌当接面２４３ｄの内側に振動モーター８８が設けられている。この振動モーター８８の動作は、制御回路により制御されており、振動モーター８８の出力軸に取り付けられた偏芯分銅８８ａの回転により振動を発生させ、発生させた振動が肌当接面２４３ｄに伝達されるようにしている。
【０１０２】
このように、本実施の形態にかかる目元用美容装置１０には、肌面に振動を付与する振動付与装置が設けられている。以下では、肌面に振動を付与する振動付与装置について具体的に説明する。
【０１０３】
振動付与装置は、図５、図６および図９に示すように、振動モーター８８が制御基板８５上の制御回路から供給される制御電流により動作することで、振動を発生させるものである。本実施の形態では、振動モーター８８は、肌当接面２４３ｄの前方において、ヒーターカバー８３に固定されている。このヒーターカバー８３は、伝熱板８１の前方を覆って断熱するものである。
【０１０４】
具体的には、ヒーターカバー８３は、伝熱板８１と同様に、上下方向に断面クランク状に屈曲された形状をしており、伝熱板８１の前方に、伝熱板８１から一定の間隔を隔てた状態で配設されている。
【０１０５】
本実施の形態では、振動モーター８８は、ヒーターカバー８３から突出されるリブによって保持されている。さらに、本実施の形態では、モーターカバー８９に、ヒーターカバー８３のリブと対向するようにリブを突設している。そして、モーターカバー８９とヒーターカバー８３との間に振動モーター８８を挟んだ状態で、モーターカバー８９をヒーターカバー８３にネジで固定することで、振動モーター８８がモーターカバー８９とヒーターカバー８３に挟まれた状態で固定されるようにしている。
【０１０６】
このような構成とすることで、振動モーター８８を、ゴム等の弾性緩衝材を介することなく、モーターカバー８９とヒーターカバー８３との間に固定させることができる。そのため、振動モーター８８によって発生する振動を、大きく減衰させることなくヒーターカバー８３に伝達させることができるようになる。そして、ヒーターカバー８３に伝達された振動が、突起８３ｂを介してベース部２４０の肌当接面２４３ｄに伝達されるようにしている。
【０１０７】
さらに、本実施の形態では、ヒーターカバー８３に、上下方向の中間部である水平部に振動モーター８８を保持するためのリブを形成しており、このようなリブを設けることによってヒーターカバー８３の剛性を高めている。このように、ヒーターカバー８３の剛性を高めることで、振動モーター８８の振動をヒーターカバー８３に伝達させ易くすることができる。そして、振動モーター８８からヒーターカバー８３に伝達された振動は、突起８３ｂを介してベース部２４０の肌当接面２４３ｄに効率よく伝達されることとなる。
【０１０８】
また、本実施の形態では、硬質材で形成されたベース部２４０の肌当接面２４３ｄを目３の下の肌面に直接当接させ、振動モーター８８からの振動を、肌当接面２４３ｄを介して眼の下の肌面に伝達させるようにしているため、振動を効率よく伝達させることができる。
【０１０９】
なお、ベース部２４０におけるヒーター８０および伝熱板８１の外形に沿う位置には、前方に向かって突出するリブ２４７が形成されている。そして、リブ２４７の先端縁にヒーターカバー８３を当接させた状態でヒーターカバー８３がベース部２４０に固定されて、ベース部２４０とヒーターカバー８３とでヒーター８０および伝熱板８１を収容する閉空間Ｃ１が形成されるようにしている。さらに、振動モーター８８を閉空間Ｃ１の外部でヒーターカバー８３に取り付けている。
【０１１０】
こうすることで、ヒーターカバー８３が隔壁となって、ヒーター８０の熱による振動モーター８８の過熱を抑制することができ、振動モーター８８の信頼性を向上させることができるようになる。
【０１１１】
また、図５に示すように、リブ２４７の先端縁には、複数の段差部２４８が形成されており、ヒーターカバー８３の周縁部には、リブ２４７に嵌合する位置決め凸部８３ｃが形成されている。そして、位置決め凸部８３ｃを段差部２４８に係合させて前後方向、上下方向および左右方向に位置決めしながらヒーターカバー８３をベース部２４０に固定するようにしている。こうすることで、閉空間Ｃ１の密閉性を高めている。
【０１１２】
また、上述したように、分割平板８１ａ、８１ｂには熱伝導性を向上させるためにグリスを塗布している。このグリスはシリコンが含まれているものが一般的であり、熱で揮発したシリコンが電気的接点部に付着して接点不良を引き起こすことがある。
【０１１３】
しかしながら、本実施の形態では、グリスを塗布している部分が閉空間Ｃ１内に位置している。そのため、振動モーター８８および制御回路等に悪影響を及ぼすおそれのある揮発したシリコンが、閉空間Ｃ１の外に漏れてしまうのを抑制することができる。すなわち、揮発したシリコンが閉空間Ｃ１の外に位置する振動モーター８８および制御回路等に悪影響を及ぼすことをより確実に抑制することができる。
【０１１４】
そして、ベース部側凹部２４０ａの収容空間２４０ｄ内（凹部２３の奥側：他側）には、図４に示すように、収容空間２４０ｄの周縁形状に略沿った外縁形状のユニット部材４０が着脱自在に取り付けられている。
【０１１５】
本実施の形態では、水等の液体を保持可能な給水プレート（液体保持部材）５０と、凹部２３を画成する隔壁６０と、を一体に形成することで、ユニット部材４０を形成している。具体的には、給水プレート（液体保持部材）５０と隔壁６０とを組み合わせることで、ユニット部材４０を形成している。なお、給水プレート（液体保持部材）５０と隔壁６０とをインサート成形することで、ユニット部材４０を形成することも可能である。
【０１１６】
そして、ユニット部材４０を本体部２０（凹部２３の奥側）に取り付けた状態で、給水プレート（液体保持部材）５０が収容空間２４０ｄ内の奥側面２４１ｂ（裏側に加熱面２４５が形成されている面）に当接するようになっている。
【０１１７】
また、ユニット部材４０を本体部２０（凹部２３の奥側）に取り付けた状態で、凹部２３は、隔壁６０によって液体保持部材側空間Ｓ１と開口側空間Ｓ２とに区画されることとなる。
【０１１８】
ユニット部材４０の左右方向両端の上下方向中央部には、後方かつ左右外方に向けて突出する把持部４１が形成されており、把持部４１の上部には、前方に向けて突出するフック部４２が形成されている。
【０１１９】
かかる構成とすることで、左右両側の把持部４１を把持した状態で、ユニット部材４０を収容空間２４０ｄ内に収容しつつ、フック部４２を後側面２４１ｄに形成されたフック部２４１ｅに引っ掛ける（係合させる）ことで、ユニット部材４０をワンタッチで本体部２０に取り付けることができるようにしている。
【０１２０】
なお、フック部４２は、左右方向に弾性変形可能な弾性片で構成されており、このフック部４２を左右方向の内側に弾性変形させると、フック部４２とフック部２４１ｅとの係合が解除され、ユニット部材４０を本体部２０（凹部２３の奥側）から取り外せるようになっている。
【０１２１】
このように、ユニット部材４０を本体部２０（凹部２３の奥側）に対して着脱自在に取り付けられるようにすることで、ユニット部材４０を容易に取り外して洗浄することができるようになる。
【０１２２】
なお、本実施の形態では、把持部４１は、図１６に示すように、加熱面２４５から離れた左右方向両側に、斜め後方に突出するように設けられているため、把持部４１にヒーター８０からの熱が伝わりにくくなっている。こうすることで、使用後に把持部４１を持ってユニット部材４０を容易に取り外すことができるようにしている。
【０１２３】
給水プレート５０は、耐熱性、耐スチーム性を備えた合成樹脂（例えばポリカーボネート、ポリブチレンテレフタレート）で略平坦な板状に形成されており、後面が、隔壁６０と対向する対向面５１となっている。そして、給水プレート５０の前面が、ヒーター８０からの熱を受ける受熱面５２となっている。
【０１２４】
この給水プレート５０は、後方から視た状態で、収容空間２４０ｄの輪郭形状に対応した形状をしている。すなわち、給水プレート５０は、左右方向の中央部が幅狭に形成されている。このように、給水プレート５０の中央部を幅狭とすることで、幅狭部分におけるヒーター８０からの発熱量を抑制することができ、給水プレート５０の幅狭部分の温度が上昇しすぎてしまうのが抑制される。その結果、使用者１の鼻梁付近に過度の熱が付与されてしまうことを抑制することができるようになる。
【０１２５】
また、給水プレート５０には、液体としての水を表面張力により保持することが可能な多数の小さな貫通孔５３が形成されている。本実施の形態では、貫通孔５３は、給水プレート５０の厚さ方向に貫通されている。
【０１２６】
また、図５に示すように、多数の貫通孔５３は、目元用美容装置１０が顔面に装着されたときに使用者１の目３と対向する領域に形成されており、両眼の間の鼻梁に対向する位置には設けられていない。このように、給水プレート５０の左右方向中央部に幅狭に形成された部分に、水を保持する貫通孔５３を設けないようにすることで、使用者の鼻梁に水が漏れてしまうことが抑制され、目３の周囲に集中的に温ミストを供給させることができるようになる。
【０１２７】
なお、鼻６に対向する位置に貫通孔５３を疎らに設けるようにすることも可能である。
【０１２８】
この貫通孔５３の径は、図１７に示すように、給水プレート５０の目元に対する対向面５１側の径がヒーター８０で過熱される受熱面５２側の径と同等以上となっている。なお、各貫通孔５３の直径は、表面張力を充分に確保するために、０．５ｍｍ〜１．５ｍｍ程度の大きさとすることが好ましい。
【０１２９】
なお、貫通孔５３の径を給水プレート５０の対向面５１に向かって大きくなるようにすることも可能である。こうすれば、貫通孔５３内の熱交換面積が対向面５１に向かって広くなるため、蒸気化効率が上昇し、ヒーター８０が発熱してから温ミストが発生するまでの時間を短縮することができる。
【０１３０】
隔壁６０は、給水プレート５０から後方に離間した状態で配置される立壁６１と、前後方向に延在して給水プレート５０と立壁６１とを連接する周壁６２とを備えている。
【０１３１】
立壁６１も、給水プレートと同様に、後方から視た状態で、収容空間２４０ｄの輪郭形状に対応した形状をしている。すなわち、立壁６１も左右方向の中央部が幅狭に形成されている。
【０１３２】
さらに、本実施の形態では、立壁６１における左右方向両側の幅広の部分は、左右方向外側に向かうにつれて後方に位置するように形成されている。すなわち、立壁６１は、上方から視た際に、左右方向の中央が前方に凸となるように湾曲した形状をしている。なお、立壁６１の幅狭に形成された部分は平坦な板状をしている。
【０１３３】
周壁６２は、給水プレート５０の外周端縁と立壁６１の外周端縁とを連設するように形成されており、後述する導出口６２ａが形成される部位を除く周囲に形成されている。
【０１３４】
また、本実施の形態では、給水プレート５０から立壁６１までの前後方向の距離（最長距離）が、立壁６１から凹部２３の開口部２３ａまでの前後方向の距離よりも小さくなるようにしている。したがって、本実施の形態では、隔壁６０によって区画された液体保持部材側空間Ｓ１と開口側空間Ｓ２とを比較すると、液体保持部材側空間Ｓ１のほうが開口側空間Ｓ２よりも狭小になっている（容積が少なくなっている）。
【０１３５】
そして、隔壁６０には、開口側空間Ｓ２と液体保持部材側空間Ｓ１とを連通する連通孔６０ａが複数形成されている。
【０１３６】
本実施の形態では、複数の連通孔６０ａに一部を、開口側空間Ｓ２内の流体（空気や温ミスト等）を液体保持部材側空間Ｓ１内に導入可能な導入口６１ａとし、その他の連通孔６０ａを、液体保持部材側空間Ｓ１内から開口側空間Ｓ２内へと流体（空気や温ミスト等）を導出可能な導出口６２ａとしている。
【０１３７】
具体的には、立壁６１の左右方向中央部の幅狭に形成された部位に、上下方向に細長い導入口６１ａを、左右方向に並ぶように３つ形成している。
【０１３８】
そして、周壁６２の左右方向外側の両端に、それぞれ１つの導出口６２ａを上下方向に細長くなるように形成している。したがって、各導出口６２ａは、左右方向外側に開口するように形成されている。
【０１３９】
この導出口６２ａは、ユニット部材４０を本体部２０（凹部２３の奥側）に取り付けた状態で、開口が凹部２３内における奥側（使用者側と反対側）に位置するように形成されている。
【０１４０】
かかる構成とすることで、ユニット部材４０を本体部２０（凹部２３の奥側）に取り付けた際には、給水プレート５０の受熱面５２が奥側面２４１ｂに当接することとなる。そして、かかる状態でベース部２４０の加熱面２４５をヒーター８０で加熱させると、加熱面２４５から受熱面５２に、ヒーター８０で生じた熱が伝達されて給水プレート５０が加熱されることとなる。その結果、給水プレート５０に形成された各貫通孔５３に保持されている水が加熱されて、貫通孔５３に保持されている水が温ミストとなって液体保持部材側空間Ｓ１内に放出されることとなる。そして、液体保持部材側空間Ｓ１内に放出された温ミストは、導出口６２ａから開口側空間Ｓ２内に放出されて使用者１の目元２に供給されることとなる。
【０１４１】
なお、ユニット部材４０を本体部２０（凹部２３の奥側）に取り付ける際に、給水プレート５０を加熱面２４５側に向かって凸となるように反らせた状態で取り付けるようにすれば、貫通孔５３の多い部分を奥側面２４１ｂ（裏側に加熱面２４５が形成されている面）により確実に密着させることができ、ミストの発生の促進化を図ることが可能となる。
【０１４２】
また、本実施の形態では、給水プレート５０の全部の貫通孔５３で保持される水の量は、目元用美容装置１０の１回の使用で必要とするミストを発生させ得る量としている。すなわち、目元用美容装置１０の１回の使用後には、給水プレート５０に水を殆ど残さず、僅かに残る水は加熱面２４５の余熱だけで乾燥できるようにして、雑菌やカビの発生を抑えるようにしている。
【０１４３】
このように、本実施の形態にかかる目元用美容装置１０には、加熱手段として機能するヒーター８０と、ミスト発生手段として機能する給水プレート５０と、を有するミスト発生装置が設けられている。
【０１４４】
ここで、本実施の形態では、温ミストを使用者１の目元２により効率的に供給されるようにするために、凹部２３内に対流発生手段としての送風部９１を配置した。
【０１４５】
具体的には、目元用美容装置１０に送風部９１を有する送風装置を設け、送風部９１が凹部２３内に配置されるようにした。
【０１４６】
送風装置は、送風モーター９３と、送風モーター９３の軸９３ｂに取り付けられて回転する送風部９１を備えている。
【０１４７】
本実施の形態では、電池ケース８６に形成された送風モーター保持部８６ａに送風モーター９３の本体９３ａを載置し、本体９３ａの軸９３ｂ側を、ヒーターカバー８３に形成されたモーター挿通穴８３ｄに挿通するとともに、ベース部２４０に形成されたモーター受け部２４９にパッキン９２を介して挿入することで、送風モーター９３を固定している。
【０１４８】
このとき、軸９３ｂは、パッキン９２に形成された軸挿通孔９２ａおよびモーター受け部２４９に形成された軸挿通孔２４９ａに挿通されて、先端が液体保持部材側空間Ｓ１内に突出している。
【０１４９】
そして、液体保持部材側空間Ｓ１内に突出した先端に送風部９１の軸固定部９１ｂを固定することで、送風モーター９３を駆動させた際に、軸固定部９１ｂに一体に形成された羽根部９１ａが軸固定部９１ｂとともに回転するようにしている。
【０１５０】
なお、給水プレート５０の左右方向中央部には、送風部９１が挿通される挿通孔５４が形成されている。したがって、ユニット部材４０は、送風部９１に邪魔されることなく本体部２０（凹部２３の奥側）への着脱を行えるようになっている。
【０１５１】
このように、本実施の形態では、送風部９１を液体保持部材側空間Ｓ１内に配置している。具体的には、送風部９１を、液体保持部材側空間Ｓ１内における導入口６１ａの前方に、当該導入口６１ａと対向するように配置している。このとき、送風部９１の回転軸方向が前後方向となるようにしている。そして、送風部９１を回転させた際に、導入口６１ａから液体保持部材側空間Ｓ１内に導入された空気が左右両側に向けて流れるようにしている。
【０１５２】
また、給水プレート５０の左右方向中間部の温度を抑制するようにするのが好ましい。このような手段としては、ヒーター８０の左右方向中間部で給水プレート５０との間で加熱面２４５を構成するベース部２４０の肉厚を厚くすること、給水プレート５０の左右方向中間部と加熱面２４５との間に隙間を設けること等が考えられる。
【０１５３】
なお、本実施の形態では、シート状のヒーター８０を、ほぼ伝熱板８１と、肌当接面２４３ｄの裏面と、給水プレート５０を加熱する加熱面２４５にのみ当接させるようにしているため、ヒーター８０で発生する熱を肌当接面２４３ｄおよび給水プレート５０に効率よく伝達することができる。
【０１５４】
また、ベース部２４０の下面前部には、図８に示すように、ジャック挿入口２４６が設けられており、図３に示すように、ＡＣアダプターのジャックＪを差し込むことで電池８７を充電させることができるようになっている。本実施の形態では、ジャック挿入口２４６は、目元用美容装置１０を水平面上に置いた状態で斜め下方に向かって露出している。こうすることで、目元用美容装置１０の静置状態で上方から水がかかった場合、あるいは、給水プレート５０から垂れた水がベース部２４０の下面まで伝い落ちた場合であっても、その水がジャック挿入口２４６内に容易には浸入しないようにしている。
【０１５５】
また、カバー２３０の下面の左右には脚部２３２が設けられており、目元用美容装置１０を机上に置いた場合に、ジャック挿入口２４６に差し込まれたジャックＪに負荷がかからないようになっている。
【０１５６】
また、本実施の形態では、重量物である電池８７をベース部２４０の前部（図８において下方）に位置させることで、ベース部２４０の重心が前後方向中央部より前方に位置するようにしている。こうすることで、目元用美容装置１０が転倒した場合にベース部２４０の前方を自動的に下方とすることができるため、凹部２３が上方を向いた状態とすることができ、給水プレート５０から垂れた水が凹部２３からこぼれてしまうのを抑制することができる。
【０１５７】
次に、ミスト発生装置、熱付与装置、振動付与装置および送風装置の制御部について説明する。
【０１５８】
制御部は、ベース部２４０とカバー２３０との間に収容される電池ケース８６と、電池ケース８６にセットされる電池８７と、電池ケース８６の上方に設けられた制御基板８５とを主要部として備えている。
【０１５９】
電池８７は、充電可能な蓄電池であり、ベース部２４０に設けられたジャック挿入口２４６にジャックＪを介してＡＣアダプター（図示しない）を挿入することによって充電できるようになっている。
【０１６０】
制御回路は、電池８７から供給される電力に基づいてヒーター８０、振動モーター８８および送風モーター９３の動作を制御するものである。そして、スイッチ８４の押圧操作や温度センサー８２から出力される温度検出信号に基づいて、振動モーター８８や送風モーター９３の回転数を制御するとともに、ヒーター８０との間に介在される開閉器を開閉して、ヒーター８０の発熱動作を制御している。
【０１６１】
次に、上記のように構成された目元用美容装置１０の作用を説明する。
【０１６２】
本実施の形態にかかる目元用美容装置１０を使用する際には、図１に示すように、パッド２２０で目元２を覆う状態となるように当該目元用美容装置１０を装着する必要がある。
【０１６３】
なお、装着バンド３０を使用しない場合には、図６に示すように、パッド２２０の当接面２２２を額からこめかみにかけて接触させ、ベース部２４０の肌当接面２４３ｄを頬に接触させた状態で、顔を仰向けにする等して、目元用美容装置１０が目元からずれないように保持するのが好ましい。
【０１６４】
パッド２２０は、シリコンゴム等の弾性材料で形成されており、当接面２２２の厚さは約１ｍｍ以下となっている。そして、この当接面２２２の厚さはベース部２４０への取付面２２３の厚さ（約２ｍｍ）よりも薄くなっている。したがって、パッド２２０の当接面２２２は当接部分の形状に沿うように変形させ易くなっている。そのため、使用者１の顔が大きくても、目元用美容装置１０を顔に載せて上を向けば、目元用美容装置１０の自重によりパッド２２０の当接面２２２が外側へ広がって、パッド２２０を顔面に密着させることができる。
【０１６５】
また、例えば、Ｓ，Ｍ，Ｌサイズ等、大きさの異なるパッドを複数用意し、使用者の顔の大きさに合わせてパッドを交換することで、密着性を確保できるようにすることも可能である。
【０１６６】
なお、顔が極端に大きかったりあるいは小さかったりして、目元用美容装置１０の重量だけでは充分に密着させることができない場合には、装着バンド３０を使用してパッド２２０の当接面２２２を顔面に密着させるようにすればよい。
【０１６７】
本実施の形態では、装着バンド３０を取着するフック部２４３ｃは、カバー２３０で覆われているので、目元用美容装置１０を誤って落下させたり、さまざまな方向で置かれたりした場合でも、フック部２４３ｃに直接作用する負荷が軽減されるため、不用意な破損を抑制することが可能である。
【０１６８】
また、パッド２２０の外縁部分やベース部２４０とパッド２２０との嵌合部分も、カバー２３０によりほぼ覆われるので、さまざまな方向で置かれたりした場合であっても、これらの部分に無用な負荷が作用してしまうことを抑制することができる。したがって、長時間放置された場合にも、パッド２２０の変形を抑制することができる。
【０１６９】
また、重量物である電池８７がベース部２４０の前部に位置しており、ベース部２４０の重心が前後方向中央部より前方に位置するようにしているため、目元用美容装置１０を机上に置くと、凹部２３が上方を向いた状態となる。このとき、パッド２２０の左右両端の薄肉部が机上面から浮いた状態となるため、パッド２２０の変形が抑制される。
【０１７０】
そして、目元用美容装置１０を装着した状態で、スイッチ８４を押圧して電源オン状態にすると、制御回路が動作して、ヒーター８０への通電が開始される。すると、ヒーター８０が発熱してベース部２４０の加熱面２４５の温度が上昇し、その熱で給水プレート５０の貫通孔５３に保持されている水が加熱される。
【０１７１】
このように貫通孔５３に保持されている水が加熱されると、水が蒸気化して温ミストが生成される。そして、生成された温ミストは給水プレート５０の対向面５１から液体保持部材側空間Ｓ１内に放出される。そして、給水プレート５０から液体保持部材側空間Ｓ１内に放出された温ミストは、液体保持部材側空間Ｓ１内で温度が高められる。このとき、容積が比較的小さい液体保持部材側空間Ｓ１内で温ミストが温められることになるため、温ミストをより素早く所望の温度まで高めることができる。
【０１７２】
そして、制御回路の動作によって送風モーター９３を駆動させると、送風部９１（軸固定部９１ｂおよび羽根部９１ａ）が回転することとなる。
【０１７３】
このように、送風部９１を回転させると、凹部２３（空間Ｓ）内に、図１７の矢印で示す風の流れが形成されて、液体保持部材側空間Ｓ１内に充満した高温の温ミストが、導出口６２ａから開口側空間Ｓ２内に放出されることとなる。このとき、温ミストは、風の流れによって目尻から目頭に向かう方向に循環しながら使用者１の目元２に供給されることとなる。
【０１７４】
なお、液体保持部材側空間Ｓ１内で温められ、導出口６２ａから開口側空間Ｓ２内に放出された高温の温ミストは、開口側空間Ｓ２を浮遊し、かつ、温度を低下させながら使用者１の目元２に向かって移動する。したがって、高温の温ミストが目元２の肌４に直接的に吹き付けられることはない。
【０１７５】
そして、目元２側に移動した温ミストが目元２の肌４に付着すると、適温の温ミストで目元２の肌４に潤いが与えられる。その結果、目元２の肌４の加湿および保湿、乾燥の抑制、キメの細かさの向上と、血行促進による疲労回復が図られる。
【０１７６】
なお、肌４に付着しなかった温ミストは、温度が低下した状態で、開口側空間Ｓ２内の空気とともに、導入口６１ａから液体保持部材側空間Ｓ１内に導入され、液体保持部材側空間Ｓ１内で再び温められる。そして、比較的高温となった状態で、導出口６２ａから開口側空間Ｓ２内に放出されることとなる。
【０１７７】
本実施の形態では、制御回路は、適度なミストを発生させるために、ミスト温度が３５℃〜６０℃（望ましくは３９℃〜４４℃）の範囲、ミスト量が１０ｍｇ〜１００ｍｇ／分（望ましくは１０ｍｇ〜６０ｍｇ／分）の範囲となるようにヒーター８０の温度を制御している。
【０１７８】
なお、節電を図ったり低音やけどの回避を図ったりするために、通電開始から所定時間（本実施の形態では一例として１２分）が経過した際には、制御回路によってヒーター８０に対する通電が遮断されるようにするのが好ましい。
【０１７９】
また、ヒーター８０が発熱すると、ヒーター８０の後面に密着する伝熱板８１が加熱され、伝熱板８１の下部の分割平板８１ａ、８１ｂからベース部２４０の肌当接面２４３ｄを介して目３の下方部分の肌４に熱が伝達されることとなる。本実施の形態では、伝熱板８１は、ヒーター８０およびベース部２４０の肌当接面２４３ｄ以外には接触しておらず、ベース部２４０とヒーターカバー８３とで囲まれる閉空間Ｃ１内に配設されている。こうすることで、伝熱板８１からの無用な放熱を抑制して、ヒーター８０で発熱した熱を、伝熱板８１を介して肌当接面２４３ｄに効率よく伝達させることができるようにしている。
【０１８０】
さらに、本実施の形態では、ヒーター８０への通電開始とともに、振動モーター８８への通電が開始されるようにしている。したがって、振動モーター８８で発生する振動は、ヒーターカバー８３に伝達され、ヒーターカバー８３の突起８３ｂから分割平板８１ａ、８１ｂを介してベース部２４０の肌当接面２４３ｄに伝達されることとなる。また、振動モーター８８の振動は、ヒーターカバー８３の外縁からベース部２４０のリブ２４７を経て肌当接面２４３ｄに伝達される。本実施の形態では、このような伝達経路を設けることで、振動モーター８８で発生する振動が肌当接面２４３ｄに効率よく伝達されるようにしている。
【０１８１】
また、本実施の形態では、肌当接面２４３ｄは、布やゴム等の軟質の材料ではなく、硬質の材料で形成されており、この肌当接面２４３ｄを直接肌４に押し当てるようにしているため、振動モーター８８で発生する振動を大きく減衰させることなく肌当接面２４３ｄに伝達することができるようになっている。
【０１８２】
また、パッド２２０におけるベース部側凹部２４０ａの上方および側方を顔面に当接させているため、ベース部２４０の振動によって肌当接面２４３ｄがずれてしまうことを抑制できるようになっている。
【０１８３】
このような肌当接面２４３ｄの振動を肌４に与えることで、使用者１の目元２に適度なマッサージ効果を与えることができ、目元２の血行を促進させることができる。特に、クマのできやすい目３の下側の肌４に集中して振動を伝えるようにしているため、クマ解消の効果を高めることができる。
【０１８４】
このように、ミスト発生装置で発生する温ミストを供給し、熱付与装置で発生する熱を与え、振動付与装置で発生する振動を伝達させることで、目元２に潤いを与えるとともに適度なマッサージを施すことができるようになる。その結果、目元２の血行の促進を図り、眼精疲労および目３の下のクマの解消を図ることができるようになる。
【０１８５】
ところで、温ミストの供給や振動の伝達等を一定の状態で行うと、使用者１がそのような状態に慣れてしまい、リフレッシュ効果やリラックス効果が薄れてしまうおそれがある。
【０１８６】
そこで、本実施の形態では、振動モーター８８の回転数を制御回路上のマイコンの信号によって制御されるようにすることで、様々な振動パターンが得られるようにしている。
【０１８７】
さらに、本実施の形態では、送風モーター９３の回転数を制御回路上のマイコンの信号によって制御されるようにすることで、様々な送風パターンが得られるようにしている。
【０１８８】
そして、複数の振動パターンや送風パターンが組み合わされたモードを複数設定している。なお、これらのモードは、スイッチ８４を押す度に切り替えられるようにすることができる。
【０１８９】
複数のモードとしては、例えば、リフレッシュモードやリラックスモード等を設定することができる。図１８（ａ）には、リフレッシュモードの動作の一例を示しており、図１８（ｂ）にはリラックスモードの動作の一例を示している。
【０１９０】
図１８（ａ）に示すリフレッシュモードでは、まず初めに８５秒間の予熱モードが開始される。
【０１９１】
この予熱モードでは、送風モーター９３を駆動させないようにしている。したがって、予熱モードの段階では、液体保持部材側空間Ｓ１内で温ミストの生成および生成された温ミストの加熱が行われる。
【０１９２】
また、予熱モードでは、一定の回転数でゆっくりと回転するように振動モーター８８の回転数を制御することで、ゆっくりとした単調な振動が肌４に伝達されるようにしている。
【０１９３】
そして、予熱モード終了後から３５秒間は、送風モーター９３のオン・オフを２秒間隔で切り替えるようにしている。こうすることで、断続的に風を生じさせて、肌４が温度や風に慣れてしまうのを抑制できるようにしている。
【０１９４】
また、振動モーター８８の回転数やオン・オフの切り替え時間等を制御することで、強弱の小さい振動が肌４に伝達されるようにしている。
【０１９５】
その後の４分間は、送風モーター９３を１０秒間オン状態とした後に５秒間オフ状態とする制御が繰り返されるようにしている。
【０１９６】
一方、振動モーター８８の回転数やオン・オフの切り替え時間等を制御することで、強弱の大きい振動が肌４に伝達される制御と、ゆっくりとした振動が肌４に伝達される制御とが交互に行われるようにしている。このとき、強弱の大きい振動が肌４に伝達される制御が５５秒〜５６秒間行われるようにするとともに、ゆっくりとした振動が肌４に伝達される制御が６秒間行われるようにしている。このように、肌４に強弱の大きい振動を伝達している途中で、短時間だけ肌４にゆっくりとした振動を伝達させるようにする（振動パターンを変化させる）ことで、肌４が大きい振動に慣れてしまうのを抑制することができる。
【０１９７】
その後の１分間は、送風モーター９３のオン・オフを２秒間隔で切り替えるようにしている。
【０１９８】
一方、振動モーター８８においては、ゆっくりとした振動が肌４に伝達される制御が３０秒間行われた後に、強弱の小さい振動が肌４に伝達される制御が３０秒間行われるようにしている。
【０１９９】
その後の４分間は、送風モーター９３においては、１０秒間のオン状態と５秒間のオフ状態とを交互に切り替える制御が行われる。
【０２００】
一方、振動モーター８８においては、強弱の大きい振動が肌４に伝達される制御と、ゆっくりとした振動が肌４に伝達される制御とが交互に行われる。このとき、強弱の大きい振動が肌４に伝達される制御が５５秒〜５６秒間行われるようにするとともに、ゆっくりとした振動が肌４に伝達される制御が６秒間行われるようにしている。
【０２０１】
最後の１分間は、送風モーター９３においては、オン・オフを２秒間隔で切り替える制御が行われる。
【０２０２】
一方、振動モーター８８においては、振動モーター８８を脈拍に合わせて単調に振動させる制御が行われている。
【０２０３】
したがって、最後の１分間は、脈拍に合わせて単調に振動させている肌４に温ミストが断続的に供給されるようになっている。
【０２０４】
図１８（ａ）に示すリフレッシュモードでは、上記のような制御を行うことで、供給される温ミストの温度、風の流れ、振動パターンを変化させ、リフレッシュ効果が薄れてしまうのを抑制できるようにしている。さらに、断続的に風を生じさせて、肌４が温度や風に慣れてしまうのを抑制できるようにしている。
【０２０５】
図１８（ｂ）に示すリラックスモードでは、まず初めに８５秒間の予熱モードが開始される。
【０２０６】
この予熱モードでは、送風モーター９３を駆動させないようにしている。したがって、予熱モードの段階では、液体保持部材側空間Ｓ１内で温ミストの生成および生成された温ミストの加熱が行われる。
【０２０７】
また、一定の回転数でゆっくりと回転するように振動モーター８８の回転数を制御することで、ゆっくりとした単調な振動が肌４に伝達されるようにしている。なお、このときの回転数は、リフレッシュモードにおける予熱モードで説明した回転数よりも小さくなるようにしている。
【０２０８】
そして、送風モーター９３においては、予熱モード終了後からリフレッシュモードの終了まで、オン・オフを２秒間隔で切り替える制御が行われる。こうすることで、断続的に風を生じさせて、肌４が温度や風に慣れてしまうのを抑制できるようにしている。
【０２０９】
一方、振動モーター８８においては、予熱モード終了後から１０３秒間は、ゆっくりとした単調な振動が肌４に伝達されるようにしている。なお、このときの回転数は、リフレッシュモードにおける予熱モードで説明した回転数とほぼ同じである。
【０２１０】
したがって、予熱モードでは、さらにゆっくりとした振動が肌４に伝達される制御が行われている。
【０２１１】
ゆっくりとした振動が肌４に伝達される制御を１０３秒間行った後の１０３秒間は、さらにゆっくりとした振動が肌４に伝達される制御が行われる。
【０２１２】
その後の１０３秒間は、ゆっくりとした振動が肌４に伝達される制御が行われる。
【０２１３】
その後の１０３秒間は、さらにゆっくりとした振動が肌４に伝達される制御が行われる。
【０２１４】
その後の１０３秒間は、ゆっくりとした振動が肌４に伝達される制御が行われる。
【０２１５】
その後の１分間は、さらにゆっくりとした振動が肌４に伝達される制御が行われる。
【０２１６】
最後の１分間は、振動モーター８８を脈拍に合わせて単調に振動させる制御が行われている。
【０２１７】
図１８（ｂ）に示すリラックスモードでは、上記のような制御を行うことで、リラックス効果を高められるようにしている。
【０２１８】
以上説明したように、本実施の形態にかかる目元用美容装置１０は、一側に開口する凹部２３と、凹部２３の周囲に形成され、使用者１の目元２を凹部２３で覆った状態で当該使用者１の肌４に当接する当接面２４と、を有する本体部２０を備えている。
【０２１９】
また、目元用美容装置１０は、凹部２３の奥側に配置され、液体を保持可能な給水プレート（液体保持部材）５０と、給水プレート（液体保持部材）５０を加熱するヒーター（加熱部）８０と、を備えている。
【０２２０】
さらに、目元用美容装置１０は、凹部２３内に配置される送風部９１を備えている。
【０２２１】
こうすれば、給水プレート（液体保持部材）５０によって凹部２３内に供給される温ミストを使用者１の目元２により効率よく供給することが可能となる。その結果、目元２に与える美容効果をより高めることが可能となる。
【０２２２】
また、目元用美容装置１０は、凹部２３を液体保持部材側空間Ｓ１と開口側空間Ｓ２とに区画する隔壁６０を備えている。そして、隔壁６０には、開口側空間Ｓ２と液体保持部材側空間Ｓ１とを連通する連通孔６０ａが複数形成されている。
【０２２３】
こうすれば、給水プレート（液体保持部材）５０で生成された温ミストを素早く所定の温度に到達させることができる上、液体保持部材側空間Ｓ１内に温ミストを素早く充満させることができるようになる。そして、液体保持部材側空間Ｓ１内に充満した所定の温度の温ミストを連通孔６０ａから目元２側に向けて放出させることで、使用者１の目元２に温熱マッサージ感を与えることができる。その結果、目元２に与える美容効果をより高めることが可能となる。
【０２２４】
また、連通孔６０ａは、開口側空間Ｓ２内の流体を液体保持部材側空間Ｓ１内に導入可能な導入口６１ａと、液体保持部材側空間Ｓ１内から開口側空間Ｓ２内へと流体を導出可能な導出口６２ａと、を備えている。
【０２２５】
こうすれば、凹部２３内の流体（空気や温ミスト）の流れをより一定の流れに近づけることができ、温ミストを使用者１の目元２により効率よく供給することが可能となる。
【０２２６】
また、本体部２０の当接面２４を肌４に当接させた使用者１が前方を向いた状態で、導入口６１ａが隔壁６０の左右方向の中央部に形成されている。そして、導出口６２ａが隔壁６０の左右方向の両端における下部にそれぞれ形成されている。
【０２２７】
こうすれば、温ミストを目尻から目頭に向かって循環させることが可能となって、より効率よく温ミストを使用者１の目元２に供給することができる。また、温ミストを凹部２３内（開口側空間Ｓ２内）により均一に行き渡らせることが可能となる。
【０２２８】
したがって、使用者１が目元用美容装置１０の使用中に姿勢を変えたとしても、より効率よく温ミストを使用者１の目元２に供給することができるようになる。
【０２２９】
特に、本実施の形態では、左右方向の両端における下部から温ミストを放出するようにしているため、例えば、立っている状態で使用したとしても、温ミストが上方に偏ってしまうのが抑制され、温ミストを凹部２３内（開口側空間Ｓ２内）により均一に行き渡らせることが可能となる。
【０２３０】
また、送風部９１が液体保持部材側空間Ｓ１内に配置されている。
【０２３１】
こうすれば、液体保持部材側空間Ｓ１内に充満した温ミストを対流させながら開口側空間Ｓ２内に放出させることができ、温ミストを使用者１の目元２により効率よく供給することが可能となる。
【０２３２】
また、液体保持部材側空間が、前記開口側空間よりも狭小になっている。
【０２３３】
こうすれば、液体保持部材で生成された温ミストをより素早く液体保持部材側空間内に充満させることができる上、温ミストをより素早く所望の温度まで上昇させることができるようになる。
【０２３４】
また、隔壁６０と給水プレート（液体保持部材）５０とが一体に形成されている。
【０２３５】
こうすれば、隔壁６０および給水プレート（液体保持部材）５０を本体部２０により容易に装着させることが可能となる。
【０２３６】
以上、本発明の好適な実施の形態について説明したが、本発明は上記実施の形態には限定されず、種々の変形が可能である。
【０２３７】
例えば、伝熱板８１の材質を、熱伝導に優れたアルミニウムとは別の材質に変更することができる。別の材質としては、例えば、銅、金、銀、白金、ベリリウム、タングステン、マグネシウム、モリブデン、鉄、ニッケル、パラジウム、もしくは、鉛等の熱伝導に優れた金属、または、アルミニウム合金、ステンレス鋼、マグネシウム合金、合金鋼、ニッケル合金、銅合金、もしくは、鉄合金等の合金がある。
【０２３８】
また、目元用美容装置１０の電源を、充電可能な電池８７とは別の電源に変更することもできる。別の電源としては、例えば、乾電池または商用電源がある。
【０２３９】
また、突起８３ａおよび突起８３ｂの先端部の形状を球面状とは別の形状に変更することもできる。別の形状としては、例えば、多角錐状がある。
【０２４０】
また、突起８３ａおよび突起８３ｂの先端部と伝熱板８１との間に断熱材を設けるようにしてもよい。
【０２４１】
また、本体部や隔壁、その他細部のスペック（形状、大きさ、レイアウト等）も適宜に変更可能である。
【産業上の利用可能性】
【０２４２】
本発明によれば、目元に与える美容効果をより高めることが可能な目元用美容装置を得ることができる。
【符号の説明】
【０２４３】
１  使用者
２  目元
４  肌
１０  目元用美容装置
２０  本体部
２３  凹部
２４  当接面
５０  給水プレート（液体保持部材）
６０  隔壁
６０ａ  連通孔
６１ａ  導入口
６２ａ  導出口
Ｓ１  液体保持部材側空間
Ｓ２  開口側空間
８０  ヒーター（加熱部）
９１  送風部
【図１】
0006504465.tif 000002
【図２】
0006504465.tif 000003
【図３】
0006504465.tif 000004
【図４】
0006504465.tif 000005
【図５】
0006504465.tif 000006
【図６】
0006504465.tif 000007
【図７】
0006504465.tif 000008
【図８】
0006504465.tif 000009
【図９】
0006504465.tif 000010
【図１０】
0006504465.tif 000011
【図１１】
0006504465.tif 000012
【図１２】
0006504465.tif 000013
【図１３】
0006504465.tif 000014
【図１４】
0006504465.tif 000015
【図１５】
0006504465.tif 000016
【図１６】
0006504465.tif 000017
【図１７】
0006504465.tif 000018
【図１８】
0006504465.tif 000019